(57)【要約】【課題】  別の場所で作業を行う場合における作業性を大幅に向上させることができると共に、十分な作業場所がないような場所にも対応ができる作業箱を提供する。【解決手段】  光ファイバ融着接続機および前記光ファイバ融着接の処理に必要な周辺工具類を収納する作業箱であって、前記光ファイバ融着接続機および周辺工具類を収納する本体部と、前記本体部に対して開閉自在となっている蓋部とからなり、前記本体部に対して前記蓋部を開いた状態で、前記本体部の前に前記所定の処理を行うための平面部が形成される構成となっている。【選択図】  図３
2006201305.tif 000002
【特許請求の範囲】
【請求項１】
所定の処理を行う処理装置および前記所定の処理に必要な周辺工具類を収納する作業箱であって、
前記処理装置および周辺工具類を収納する本体部と、前記本体部に対して開閉自在となっている蓋部とからなり、
前記本体部に対して前記蓋部を開いた状態で、前記本体部の前に前記所定の処理を行うための平面部が形成されることを特徴とする作業箱。
【請求項２】
前記平面部が、前記蓋部の内壁部であることを特徴とする請求項１に記載の作業箱。
【請求項３】
前記本体部が、前記作業箱を作業者の首に掛けて作業を行うための首掛けベルトを有していることを特徴とする請求項１に記載の作業箱。
【請求項４】
前記首掛けベルトが前記作業者の首に掛かっている状態で、前記本体部と前記作業者との間に前記平面部が形成されることを特徴とする請求項３に記載の作業箱。
【請求項５】
前記本体部に対して前記蓋部がヒンジを介して回動自在となっていることを特徴とする請求項１に記載の作業箱。
【請求項６】
前記処理装置が、光ファイバ融着接続機であり、前記周辺工具類が光ファイバ融着接続に必要な工具であることを特徴とする請求項１に記載の作業箱。
【請求項７】
前記蓋部が、前記本体部に対して前記蓋部を閉じた状態で、前記作業箱を運搬するための取っ手を有していることを特徴とする請求項１に記載の作業箱。
【発明の詳細な説明】
【技術分野】
【０００１】
本発明は、光ファイバ融着接続機および光ファイバ融着接続工程に必要な周辺工具類を収納する作業箱に係り、さらに詳細には、別の場所で作業を行う場合における作業性を大幅に向上させることができると共に、十分な作業場所がないような場所にも対応ができる作業箱に関する。
【背景技術】
【０００２】
一般に、光ファイバ同士を接続するための光ファイバ融着接続工程には、被覆除去具・カッター・薬品などの関連周辺工具が必要となる。
【０００３】
従来、光ファイバ融着接続作業は、所定の作業台の上で行われており、その被覆除去具・カッター・薬品などの関連周辺工具も、その作業台の上に無造作に置かれていた。
【０００４】
このような技術に関しては、例えば、Ｕ．Ｓ．Ｐ．５，３５３，３６６公報に記載されているように、融着接続工程に使用する融着接続機とスプライストレイを配置することが可能な作業台であって、周辺工具やスプライストレイの大きさによりバイスの締め付け部の大きさを可変させ、任意の位置で固定できるものが知られている。
【特許文献１】Ｕ．Ｓ．Ｐ．５，３５３，３６６
【発明の開示】
【発明が解決しようとする課題】
【０００５】
しかしながら、このような従来の作業台は、以下のような問題があった。
【０００６】
従来の作業台は、固定で使用することを前提としており、持ち運びが容易ではなく、別の場所で光ファイバ融着接続作業を行う場合、融着接続機本体とその細々とした周辺工具とを別途用意された作業箱に入れて別の作業場所に持っていかなければならず、また、その別の場所で融着接続機本体とその細々とした周辺工具とを作業箱から作業台上に出して作業しなければならず、作業効率が非常に悪いものであった。
【０００７】
また、場所によっては、架空のような作業台を置く場所がないような十分な作業場所がないような場所での光ファイバ融着作業には対応することができないものであった。
【０００８】
本発明は、上述の如き従来の問題点を解決するためになされたもので、その目的は、別の場所で作業を行う場合における作業性を大幅に向上させることができると共に、十分な作業場所がないような場所にも対応ができる作業箱を提供することである。
【課題を解決するための手段】
【０００９】
本発明は、前述のごとき問題に鑑みてなされたもので、請求項１に係る発明は、所定の処理を行う処理装置および前記所定の処理に必要な周辺工具類を収納する作業箱であって、前記処理装置および周辺工具類を収納する本体部と、前記本体部に対して開閉自在となっている蓋部とからなり、前記本体部に対して前記蓋部を開いた状態で、前記本体部の前に前記所定の処理を行うための平面部が形成されることを特徴とする。
【００１０】
請求項２に係る発明は、前記平面部が、前記蓋部の内壁部であることを特徴とする。
【００１１】
請求項３に係る発明は、前記本体部が、前記作業箱を作業者の首に掛けて作業を行うための首掛けベルトを有していることを特徴とする。
【００１２】
請求項４に係る発明は、前記首掛けベルトが前記作業者の首に掛かっている状態で、前記本体部と前記作業者との間に前記平面部が形成されることを特徴とする。
【００１３】
請求項５に係る発明は、前記本体部に対して前記蓋部がヒンジを介して回動自在となっていることを特徴とする。
【００１４】
請求項６に係る発明は、前記処理装置が、光ファイバ融着接続機であり、前記周辺工具類が光ファイバ融着接続に必要な工具であることを特徴とする。
【００１５】
請求項７に係る発明は、前記蓋部が、前記本体部に対して前記蓋部を閉じた状態で、前記作業箱を運搬するための取っ手を有していることを特徴とする。
【発明の効果】
【００１６】
上述の如く本発明によれば、別の場所で作業を行う場合における作業性を大幅に向上させることができるという効果がある。
【００１７】
すなわち、融着接続工程に必要な全ての周辺工具をひとつの作業箱にまとめた状態で接続箇所まで持っていける可搬性を有する。
【００１８】
また、新しい接続場所に移動しても周辺工具の再配置が必要ない。
【００１９】
また、作業箱を展開することによってフリースペースをつくり、架空のような周辺工具等の置き場所が外部にないような場所で、作業の利便性を高める。
【００２０】
また、単なる平面でなく作業箱の内部を多段にすることにより、作業スペースを広げることができる。
【００２１】
また、もっとも落としやすい光ファイバフォルダはピンに挿入するかたちで固定することにより作業箱からの落下を防ぐことができる。
【発明を実施するための最良の形態】
【００２２】
本発明の実施の形態を、図面を参照して説明する。
【００２３】
図１を参照して、本発明を実施した作業箱の実施形態について説明する。 図１は、本発明を実施した作業箱の実施形態の正面図であり、図２は、図１に示した作業箱の側面図であり、図３は、図１に示した作業箱を展開した場合の斜視図である。
【００２４】
なお、以下の実施形態では、光ファイバ融着接続機やその周辺工具（被覆除去具、光ファイバを切断するカッター、アルコール類やティッシュ等の小物類）を持ち運んだり作業したりする作業箱として説明するが、これに限定されず、他の機器用の作業箱として本発明を適用することもできる。
【００２５】
図１、図２、図３に示すように、この作業箱１は、本体部３と、本体部３に対して中折れ用ヒンジ５ａおよび５ｂおよび開閉用ヒンジ７ａおよび７ｂを介して開閉自在となっている蓋部６とからなる。そして、本体部３は、一体となる板状の底面部９と背面部１１と側面部１３ａおよび１３ｂとを有しており、蓋部６は、本体部３に対して閉状態で、本体部３の前面と上面とを覆う前面部１５と上面部１７とを有している。
【００２６】
蓋部６の上面部１７には、この作業箱１を持ち運ぶための取っ手１９が設けられており、本体部３の両側面部１３ａおよび１３ｂには、後で説明するように、この作業箱１を作業者の首に掛けて作業を行うための首掛けベルト２１が取り付けられている。
【００２７】
また、本体部３の内部には、板状の載置部２３ａが設けられており、本体部３の内部が２段の棚板式の載置部２３ａおよび２３ｂ（底面部９）となり、光ファイバ融着接続機本体やその周辺工具を収納するようになっている。すなわち、単なる平面でなく作業箱の内部を多段にすることにより、収納スペースを広げている。
【００２８】
また、本体部３の背面部１１には、所定の幅で一体的に上方に延びた伸延部１１ａを有しており、その伸延部１１ａの上端には、光ファイバ２４を保持するためのファイバホルダ２５（図４参照）を載置するための載置台２７がヒンジ２９を介して設けられている。すなわち、この載置台２７は、ヒンジ２９を介して伸延部１１ａに対して水平の状態と垂直の状態との間を回動するようになっている。なお、この載置台２７には、ファイバホルダ２５の穴２５ａに係合する複数のピン３１が設けられている。図４は、載置台に載置されるファイバホルダの構成斜視図である。
【００２９】
次に、図３を参照して、この作業箱１の使用方法について説明する。
【００３０】
図３は、作業箱の蓋部が本体部に対して開状態（展開状態）の場合の斜視図である。
【００３１】
まず、図１および図２に示すように、作業箱１の蓋部６が本体部３に対して閉状態になっている状態から取っ手１９等を取って蓋部６を前面方向（図２の矢印Ａ）に引くと、中折れ用ヒンジ５ａおよび５ｂおよび開閉用ヒンジ７ａおよび７ｂの働きにより、蓋部６は、前面方向Ａに回動して、図３に示した状態で停止する。そして、載置台２７を伸延部１１ａに対して水平の状態から垂直の状態とする。なお、この状態で、本体部３と蓋部６とは、中折れ用ヒンジ５ａおよび５ｂによって固定される。
【００３２】
最初に使用する場合は、この図３に示した状態で、光ファイバ融着接続機本体やその周辺工具を本体部３の内部に載置する。この実施形態の場合、本体部３の内部の上段の載置部２３ａに光ファイバ融着接続機本体を載置し、下段の載置部２３ｂに、その周辺工具を載置し、載置台２７にファイバホルダ２５を載置するようになっている。また、上段の載置部２３ａに光ファイバ融着接続機本体を載置した場合に、その光ファイバ融着接続機本体の両側にスペースができるようになっており、このスペースにアルコール類やティッシュ等の小物類置くようになっている。
【００３３】
この図３に示した状態で、蓋部６の前面部１５の内壁面１５ａは、本体部３の前面に作業を行うための平面部を提供することとなり、この平面部１５ａ上において光ファイバ融着接続機を使った光ファイバ融着の作業を行うことができる。従って、作業効率がアップする。
【００３４】
また、この図３に示した状態で、作業者は、図５に示すように、蓋部６の上面部１７を体側に向けて上面部１７（図の場合は取っ手１９）を腹部に当てて首掛けベルト２１を首に掛ければ、立った状態で両手を使って作業を行うことができる。
【００３５】
図５は、作業者が首掛けベルトを首に掛けた状態の説明図である。
【００３６】
これにより、十分な作業場所がないような場所での光ファイバ融着作業にも十分に対応することができる。すなわち、作業箱を展開することによってフリースペースをつくり、架空のような周辺工具等の置き場所が外部にないような場所で、作業の利便性を高めることができる。なお、作業者の腹部が痛くならないように、上面部１７に緩衝材を設けても良い。
【００３７】
次に、融着接続作業が終了すると、平面部１５ａ上の周辺工具を下段の載置部２３ｂにしまい、載置台２７を伸延部１１ａに対して垂直の状態からの水平状態とし、取っ手１９等を取って蓋部６を後面方向（図２の矢印Ａとは逆の方向）に引くと、中折れ用ヒンジ５ａおよび５ｂおよび開閉用ヒンジ７ａおよび７ｂの働きにより、蓋部６は、回動して、図１および図２に示した状態へと戻る。なお、この状態で、本体部３と蓋部６とを係止手段によって固定させる。なお、係止手段は図示しないが、一方の穴部に他方の凸部を係合させる等の種々の方法が適用できる。
【００３８】
この状態（図１および図２）で、光ファイバ融着接続機および周辺工具が中に収納されているので、このまま取っ手１９または首掛けベルト２１を使って作業箱１を運べば、光ファイバ融着接続に必要な用具がどこでも利用可能となる。すなわち、すなわち、融着接続工程に必要な全ての周辺工具をひとつの作業箱にまとめた状態で接続箇所まで持っていける可搬性を有する。
【図面の簡単な説明】
【００３９】
【図１】本発明を実施した作業箱の実施形態の正面図である。
【図２】図１に示した作業箱の側面図である。
【図３】図１に示した作業箱を展開した場合の斜視図である。
【図４】載置台に載置されるファイバホルダの構成斜視図である。
【図５】作業者が首掛けベルトを首に掛けた状態の説明図である。
【符号の説明】
【００４０】
１…作業箱、３…本体部、５ａ，５ｂ…ヒンジ、６…蓋部、
７ａ，７ｂ…ヒンジ、９…底面部、１１…背面部、１１ａ…伸延部、
１３ａ，１３ｂ…側面部、１５…前面部、１５ａ…平面部、１７…上面部、
１９…取っ手、２１…ベルト、２３ａ…載置部、２３ｂ…載置部、
２４…光ファイバ、２５…ファイバホルダ、２５ａ…穴、２７…載置台、
２９…ヒンジ、３１…ピン
【図１】
2006201305.tif 000003
【図２】
2006201305.tif 000004
【図３】
2006201305.tif 000005
【図４】
2006201305.tif 000006
【図５】
2006201305.tif 000007